(57)【要約】【課題】抗アレルゲン機能及び消臭機能を有する水性液を提供する。【解決手段】本発明に係る水性液は、水と、前記水に分散された層状ケイ酸塩粉体と、緩衝作用物質と、を含む水性液であって、前記緩衝作用物質は、有機酸及び無機酸からなる群より選ばれる少なくとも１種の酸と、有機酸塩及び無機酸塩からなる群より選ばれる少なくとも１種の塩とからなり、前記水性液はｐＨ７．０以下であることを特徴とする。【選択図】なし【特許請求の範囲】
【請求項１】
水と、
前記水に分散された層状ケイ酸塩粉体と、
緩衝作用物質と、を含む水性液であって、
前記緩衝作用物質は、有機酸及び無機酸からなる群より選ばれる少なくとも１種の酸と、有機酸塩及び無機酸塩からなる群より選ばれる少なくとも１種の塩とからなり、
前記水性液は、ｐＨ７．０以下であることを特徴とする抗アレルゲン機能及び消臭機能を有する水性液。
【請求項２】
前記緩衝作用物質は、クエン酸及びクエン酸塩からなる緩衝作用物質である請求項１に記載の抗アレルゲン機能及び消臭機能を有する水性液。
【請求項３】
前記緩衝作用物質は、リン酸及びクエン酸塩からなる緩衝作用物質である請求項１に記載の抗アレルゲン機能及び消臭機能を有する水性液。
【請求項４】
前記クエン酸塩が、クエン酸ナトリウムである請求項２または３に記載の抗アレルゲン機能及び消臭機能を有する水性液。
【請求項５】
前記水性液における前記緩衝作用物質の総和濃度が、２０ｍｍｏｌ／Ｌ以上である請求項１〜４のいずれか１項に記載の抗アレルゲン機能及び消臭機能を有する水性液。
【請求項６】
前記水性液における前記層状ケイ酸塩粉体の含有率が２０ｐｐｍ〜１０質量％の範囲である請求項１〜５のいずれか１項に記載の抗アレルゲン機能及び消臭機能を有する水性液。
【請求項７】
前記水性液のｐＨがｐＨ３．０〜ｐＨ６．５の範囲に設定されている請求項１〜６のいずれか１項に記載の抗アレルゲン機能及び消臭機能を有する水性液。
【請求項８】
前記水性液のｐＨがｐＨ４．０〜ｐＨ６．０の範囲に設定されている請求項１〜６のいずれか１項に記載の抗アレルゲン機能及び消臭機能を有する水性液。
【請求項９】
前記層状ケイ酸塩粉体が、モンモリロナイト粉体を５０質量％以上含有する層状ケイ酸塩粉体である請求項１〜８のいずれか１項に記載の抗アレルゲン機能及び消臭機能を有する水性液。
【請求項１０】
請求項１〜９のいずれか１項に記載の水性液を処理対象空間に噴霧することを特徴とするアレルゲン低減化及び消臭処理方法。
【請求項１１】
請求項１〜９のいずれか１項に記載の水性液を処理対象物に付着せしめることを特徴とするアレルゲン低減化及び消臭処理方法。
【発明の詳細な説明】
【技術分野】
【０００１】
本発明は、抗アレルゲン機能及び消臭機能を有する水性液に関する。
【背景技術】
【０００２】
近年、アトピー性皮膚炎、アレルギー性鼻炎等の各種アレルギー疾患を多く発症している。アレルギー疾患の原因となるアレルゲンとしては、例えば、ダニの死骸、花粉、カビ等が知られている。
【０００３】
このようなアレルギー疾患の発症を防止する手段としては、生活空間からアレルゲンを低減せしめるべく、マット、カーテン、家具、自動車内装材等の内装材等にアレルゲン低減化物質（アレルゲンを不活性化する物質）を固着せしめることが公知である（特許文献１参照）。
【先行技術文献】
【特許文献】
【０００４】
【特許文献１】特開２０１１−２４６８６６号公報
【発明の概要】
【発明が解決しようとする課題】
【０００５】
ところで、内装材等としては、アレルゲン低減機能を備えている上に、さらに消臭機能を備えていることを要求されることが多くなってきている。
【０００６】
しかしながら、従来では、このようなアレルゲン低減機能と消臭機能の両方を付与できる処理剤はなかったのが実状である。
【０００７】
本発明は、かかる技術的背景に鑑みてなされたものであって、抗アレルゲン機能及び消臭機能を有する水性液を提供することを目的とする。
【課題を解決するための手段】
【０００８】
前記目的を達成するために、本発明は以下の手段を提供する。
【０００９】
［１］水と、
前記水に分散された層状ケイ酸塩粉体と、
緩衝作用物質と、を含む水性液であって、
前記緩衝作用物質は、有機酸及び無機酸からなる群より選ばれる少なくとも１種の酸と、有機酸塩及び無機酸塩からなる群より選ばれる少なくとも１種の塩とからなり、
前記水性液は、ｐＨ７．０以下であることを特徴とする抗アレルゲン機能及び消臭機能を有する水性液。
【００１０】
［２］前記緩衝作用物質は、クエン酸及びクエン酸塩からなる緩衝作用物質である前項１に記載の抗アレルゲン機能及び消臭機能を有する水性液。
【００１１】
［３］前記緩衝作用物質は、リン酸及びクエン酸塩からなる緩衝作用物質である前項１に記載の抗アレルゲン機能及び消臭機能を有する水性液。
【００１２】
［４］前記クエン酸塩が、クエン酸ナトリウムである前項２または３に記載の抗アレルゲン機能及び消臭機能を有する水性液。
【００１３】
［５］前記水性液における前記緩衝作用物質の総和濃度が、２０ｍｍｏｌ／Ｌ以上である前項１〜４のいずれか１項に記載の抗アレルゲン機能及び消臭機能を有する水性液。
【００１４】
［６］前記水性液における前記層状ケイ酸塩粉体の含有率が２０ｐｐｍ〜１０質量％の範囲である前項１〜５のいずれか１項に記載の抗アレルゲン機能及び消臭機能を有する水性液。
【００１５】
［７］前記水性液のｐＨがｐＨ３．０〜ｐＨ６．５の範囲に設定されている前項１〜６のいずれか１項に記載の抗アレルゲン機能及び消臭機能を有する水性液。
【００１６】
［８］前記水性液のｐＨがｐＨ４．０〜ｐＨ６．０の範囲に設定されている前項１〜６のいずれか１項に記載の抗アレルゲン機能及び消臭機能を有する水性液。
【００１７】
［９］前記層状ケイ酸塩粉体が、モンモリロナイト粉体を５０質量％以上含有する層状ケイ酸塩粉体である前項１〜８のいずれか１項に記載の抗アレルゲン機能及び消臭機能を有する水性液。
【００１８】
［１０］前項１〜９のいずれか１項に記載の水性液を処理対象空間に噴霧することを特徴とするアレルゲン低減化及び消臭処理方法。
【００１９】
［１１］前項１〜９のいずれか１項に記載の水性液を処理対象物に付着せしめることを特徴とするアレルゲン低減化及び消臭処理方法。
【発明の効果】
【００２０】
［１］の発明（水性液）では、水に分散された層状ケイ酸塩粉体を含有しているので、アレルゲン低減性能を有している。層状ケイ酸塩粉体にアレルゲン（ダニの死骸、花粉、カビ等）が吸着されることで、アレルゲン低減性能が得られるものと考えられる。本発明の水性液は、更に、上記特定物質の組み合わせからなる緩衝作用物質を含有し、水性液はｐＨ７．０以下であるから、アンモニア等の塩基性物質（塩基性臭）に対して消臭性能を備えていると共に、酢酸等の酸性物質（酸性臭）に対して消臭性能を備えている。加えて、水性液はｐＨ７．０以下であるので、水に分散された層状ケイ酸塩粉体は、酢酸等の酸性物質に対しても消臭性能を有しており、上記緩衝作用物質の含有による酸性物質消臭効果と相俟って、酢酸等の酸性物質に対する消臭性能をより向上させることができる。このように、本発明の水性液は、抗アレルゲン機能および消臭機能を有するので、例えば、この水性液を対象物（内装材等）に付与（噴霧等）することにより、アレルゲン低減性能及び消臭性能を有した対象物（内装材等）を提供できる。前記付与（噴霧等）の対象物としては、内装材等が挙げられるが、特にこれらに限定されるものではなく、いかなる対象物（物品、空気中など）にも適用できる。
【００２１】
［２］の発明では、緩衝作用物質として、クエン酸及びクエン酸塩からなる緩衝作用物質が用いられた構成であるから、アンモニア等の塩基性物質および酢酸等の酸性物質に対してより十分な消臭性能が得られるものとなる。
【００２２】
［３］の発明では、緩衝作用物質として、リン酸及びクエン酸塩からなる緩衝作用物質が用いられた構成であるから、酢酸等の酸性物質に対してより十分な消臭性能が得られるものとなる。
【００２３】
［４］の発明では、クエン酸塩が、クエン酸ナトリウムであるから、この水性液は、十分な緩衝作用が発揮されるものとなり、アンモニア等の塩基性物質および酢酸等の酸性物質に対してより十分な消臭性能が得られるものとなる。
【００２４】
［５］の発明では、緩衝作用物質の総和濃度が２０ｍｍｏｌ／Ｌ以上に設定されているので、十分な緩衝作用が発揮されて、水性液のｐＨが安定するので、アンモニア等の塩基性物質および酢酸等の酸性物質に対してさらに十分な消臭性能が得られるものとなる。
【００２５】
［６］の発明では、層状ケイ酸塩粉体の含有率が２０ｐｐｍ〜１０質量％の範囲に設定されているので、十分なアレルゲン低減性能を有したものとなる。
【００２６】
［７］の発明では、水性液のｐＨがｐＨ３．０〜ｐＨ６．５の範囲に設定されているので、酢酸等の酸性物質に対する消臭性能をより向上させることができる。
【００２７】
［８］の発明では、水性液のｐＨがｐＨ４．０〜ｐＨ６．０の範囲に設定されているので、酢酸等の酸性物質に対する消臭性能をより一層向上させることができる。
【００２８】
［９］の発明では、層状ケイ酸塩粉体が、モンモリロナイト粉体を５０質量％以上含有する層状ケイ酸塩粉体であるから、より優れたアレルゲン低減性能を有する。
【００２９】
［１０］の発明では、上記のいずれかの水性液を処理対象空間に噴霧するので、処理対象空間中の各種臭気（アンモニア等の塩基性物質および酢酸等の酸性物質）を消臭できると共に、処理対象空間中のアレルゲンを低減することができる。
【００３０】
［１１］の発明では、上記のいずれかの水性液を処理対象物（室内に敷設された床材等）に付着せしめるので、処理対象物におけるアレルゲンを低減できると共に、各種臭気（アンモニア等の塩基性物質および酢酸等の酸性物質）の消臭を行うことができる。更に、処理対象物に、アレルゲン低減性能を付与できると共に、各種臭気（アンモニア等の塩基性物質および酢酸等の酸性物質）に対する消臭性能を付与できる。
【発明を実施するための形態】
【００３１】
本発明に係る抗アレルゲン機能及び消臭機能を有する水性液は、
（Ａ）水、
（Ｂ）前記水に分散された層状ケイ酸塩粉体、
（Ｃ）有機酸及び無機酸からなる群より選ばれる少なくとも１種の酸と、有機酸塩及び無機酸塩からなる群より選ばれる少なくとも１種の塩と、からなる緩衝作用物質、
上記（Ａ）、（Ｂ）および（Ｃ）を含み、前記水性液はｐＨ７．０以下であることを特徴とする。
【００３２】
上記水性液は、水に分散された層状ケイ酸塩粉体を含有しているので、アレルゲン低減性能を有している。層状ケイ酸塩粉体に、ダニアレルゲン等のアレルゲンが吸着されることにより、アレルゲン低減性能が得られるものと考えられる。更に、上記水性液は、上記特定の緩衝作用物質を含有し、水性液はｐＨ７．０以下であるから、アンモニア等の塩基性物質に対して消臭性能を備えていると共に、酢酸等の酸性物質に対して消臭性能を備えている。加えて、水性液はｐＨ７．０以下であるので、水に分散された層状ケイ酸塩粉体は、酢酸等の酸性物質に対しても消臭性能を有しており、上記緩衝作用物質の含有による酸性物質消臭効果と相俟って、酢酸等の酸性物質に対する消臭性能をより向上させることができる。このように、上記水性液は、抗アレルゲン機能および消臭機能を有するので、例えば、この水性液を対象物（内装材等）に付与（噴霧等）することにより、アレルゲン低減性能及び消臭性能（塩基性物質及び酸性物質に対する消臭性能）を有した対象物（内装材等）を提供できる。
【００３３】
前記層状ケイ酸塩としては、特に限定されるものではないが、例えばモンモリロナイト、ベントナイト、スチーブンサイト、カオリナイト、雲母、タルク、ハイデライト、ヘクトライト、サポナイト等が挙げられる。中でも、モンモリロナイト含有率が５０質量％以上である層状ケイ酸塩を用いるのが好ましく、この場合にはアレルゲン低減性能をさらに向上させることができる。
【００３４】
前記水性液における前記層状ケイ酸塩粉体の含有率は２０ｐｐｍ（２０質量ｐｐｍ）〜１０質量％の範囲に設定されているのが好ましい。２０ｐｐｍ以上であることで、十分なアレルゲン低減性能が得られるものとなる。中でも、前記水性液における層状ケイ酸塩粉体の含有率は、０．１質量％〜５．０質量％の範囲に設定されるのがより好ましい。
【００３５】
前記水性液中における層状ケイ酸塩粉体の体積平均粒子経（メジアンＤ50）は３．０μｍ以下であるのが好ましく、この場合には、アレルゲン低減性能をさらに向上させることができる。中でも、前記水性液中における層状ケイ酸塩粉体の体積平均粒子経（メジアンＤ50）は０．１μｍ〜１．３μｍの範囲であるのが特に好ましい。
【００３６】
前記体積平均粒子経（メジアンＤ50）は、全粒子の粒子径及び体積を測定し、小さい粒子径のものから順次体積を積算し、該積算体積が全粒子の合計体積に対して５０％となる粒子の粒子経である。前記体積平均粒子経（メジアンＤ50）は、レーザ回折／散乱式粒度分布測定装置ＬＡ９２０（株式会社堀場製作所製）を用いて測定した。
【００３７】
前記緩衝作用物質としては、
（Ｃ１）有機酸及び無機酸からなる群より選ばれる少なくとも１種の酸と、
（Ｃ２）有機酸塩及び無機酸塩からなる群より選ばれる少なくとも１種の塩と、
からなる緩衝作用物質が用いられる。このような緩衝作用物質を含有するので、水溶液中の水素イオン濃度をできるだけ一定に保とうとする緩衝能を有する。これら緩衝作用物質は、通常は、水に溶解している。
【００３８】
前記有機酸としては、特に限定されるものではないが、例えば、クエン酸、酒石酸等が挙げられる。前記無機酸としては、特に限定されるものではないが、例えば、リン酸等が挙げられる。なお、前記有機酸には、有機酸塩は含まないし、前記無機酸には、無機酸塩は含まない。
【００３９】
前記有機酸塩としては、特に限定されるものではないが、例えば、クエン酸塩、酒石酸塩等が挙げられる。前記無機酸塩としては、特に限定されるものではないが、例えば、リン酸塩等が挙げられる。
【００４０】
前記クエン酸塩としては、特に限定されるものではないが、例えば、クエン酸一ナトリウム、クエン酸二ナトリウム、クエン酸三ナトリウム、クエン酸一カリウム、クエン酸二カリウム、クエン酸三カリウム等が挙げられる。前記酒石酸塩としては、特に限定されるものではないが、例えば、酒石酸ナトリウム等が挙げられる。前記リン酸塩としては、特に限定されるものではないが、例えば、リン酸水素ナトリウム等が挙げられる。
【００４１】
前記水性液における前記緩衝作用物質の総和濃度（合計濃度）は、２０ｍｍｏｌ／Ｌ以上に設定されているのが好ましい。この場合には、十分な緩衝作用が発揮されて、水性液のｐＨが安定するので、アンモニア等の塩基性物質および酢酸等の酸性物質に対して十分な消臭性能が得られるものとなる。中でも、前記水性液における緩衝作用物質の総和濃度（合計濃度）は、２０ｍｍｏｌ／Ｌ〜１００ｍｍｏｌ／Ｌの範囲に設定されているのが特に好ましい。
【００４２】
前記緩衝作用物質における酸／塩の混合比（Ｃ１成分／Ｃ２成分の混合比）を調整することにより、前記水性液のｐＨを調整することができる。
【００４３】
しかして、本発明の水性液は、ｐＨ７．０以下の範囲に設定される。これにより、塩基性臭（アルカリ性臭）に対する消臭性能を十分に確保できる。ｐＨ７．０が超えると、塩基性臭に対する消臭性能が十分に得られなくなる。
【００４４】
前記水性液のｐＨは、ｐＨ３．０〜ｐＨ６．５の範囲に設定されているのが好ましい。このようにｐＨ３．０〜ｐＨ６．５の範囲に設定されている場合には、水に分散された層状ケイ酸塩粉体は、酢酸等の酸性臭に対してもより高い消臭性能を有したものとなるので、上記緩衝作用物質の含有による酸性臭消臭効果と相俟って、酢酸等の酸性臭に対する消臭性能を十分に向上させることができる。ｐＨ３．０未満では、人や衣服等に対して刺激を与える可能性があるので、このような用途への適用は、好ましくない。中でも、前記水性液のｐＨは、ｐＨ４．０〜ｐＨ６．０の範囲に設定されているのがより好ましく、ｐＨ４．５〜ｐＨ５．５の範囲に設定されるのが特に好ましい。
【００４５】
前記水性液は、本発明の効果を阻害しない範囲で、アルコール等の他の溶媒を含有していてもよい。また、前記水性液は、例えば、殺菌剤、香料、界面活性剤、保湿剤等の各種添加剤を含有してもよい。
【００４６】
前記水性液は、エアゾールタイプであってもよい。即ち、前記水性液は、液化ガス又は圧縮ガスをさらに含んでいてもよい。前記液化ガスとしては、特に限定されるものではないが、例えば、ジメチルエーテル等が挙げられる。前記圧縮ガスとしては、特に限定されるものではないが、例えば、窒素ガス等が挙げられる。前記水性液を液化ガス又は圧縮ガスと共に弁付き容器に封入し、弁を開くことによって、内装材等の対象物、処理対象空間に前記水性液（エアゾール）を噴霧すればよい。
【００４７】
次に、上記水性液の使用方法の一例として、アレルゲン低減化及び消臭処理方法について説明する。第１の処理方法では、上記水性液を処理対象空間に噴霧するものである。これにより、処理対象空間中の各種臭気（アンモニア等の塩基性物質および酢酸等の酸性物質）を消臭できると共に、処理対象空間中のアレルゲンを低減することができる。
【００４８】
また、第２の処理方法では、上記水性液を処理対象物（内装材等）に付着せしめる。これにより、処理対象物におけるアレルゲンを低減できると共に、各種臭気（アンモニア等の塩基性物質および酢酸等の酸性物質）の消臭を行うことができる。更に、処理対象物に、アレルゲン低減性能を付与できると共に、各種臭気（アンモニア等の塩基性物質および酢酸等の酸性物質）に対する消臭性能を付与できる。
【実施例】
【００４９】
次に、本発明の具体的実施例について説明するが、本発明はこれら実施例のものに特に限定されるものではない。
【００５０】
＜実施例１＞
層状ケイ酸塩粉体（モンモリロナイト含有率が５０質量％以上である）５質量部、水９５質量部を混合して十分に撹拌することによって、水性混合液を得た。この水性混合液を遠心分離機に入れて１００００Ｇの遠心力をかけて粗粒子を沈降させることによって、水系分散液（層状ケイ酸塩粉体の懸濁液）を得た。この水系分散液における層状ケイ酸塩粉体の含有率は２．１質量％であった。
【００５１】
一方、クエン酸（無水物）およびクエン酸三ナトリウム（二水和物）を水に混合することによって、クエン酸濃度が１７．５ｍｍｏｌ／Ｌ、クエン酸三ナトリウム濃度（水和物は含まない）が７．５ｍｍｏｌ／Ｌの緩衝液を得た。
【００５２】
次に、上記水系分散液（層状ケイ酸塩粉体の懸濁液）１０質量部、上記緩衝液９０質量部を混合することによって、本発明の水性液を得た。この水性液における緩衝作用物質（クエン酸及びクエン酸三ナトリウム）の総和濃度は、２２．５ｍｍｏｌ／Ｌであり、層状ケイ酸塩粉体（モンモリロナイト含有率：５０質量％以上）の含有率は０．２１質量％であり、この水性液のｐＨは４．０であった。
【００５３】
＜実施例２＞
クエン酸（無水物）およびクエン酸三ナトリウム（二水和物）を水に混合することによって、クエン酸濃度が１１．５ｍｍｏｌ／Ｌ、クエン酸三ナトリウム濃度（水和物は含まない）が１３．５ｍｍｏｌ／Ｌの緩衝液を得た。
【００５４】
次に、実施例１で使用した水系分散液（層状ケイ酸塩粉体の懸濁液）１０質量部、上記緩衝液９０質量部を混合することによって、本発明の水性液を得た。この水性液における緩衝作用物質（クエン酸及びクエン酸三ナトリウム）の総和濃度は、２２．５ｍｍｏｌ／Ｌであり、層状ケイ酸塩粉体（モンモリロナイト含有率：５０質量％以上）の含有率は０．２１質量％であり、この水性液のｐＨは５．０であった。
【００５５】
＜実施例３＞
クエン酸（無水物）およびクエン酸三ナトリウム（二水和物）を水に混合することによって、クエン酸濃度が４．２ｍｍｏｌ／Ｌ、クエン酸三ナトリウム濃度（水和物は含まない）が２０．８ｍｍｏｌ／Ｌの緩衝液を得た。
【００５６】
次に、実施例１で使用した水系分散液（層状ケイ酸塩粉体の懸濁液）１０質量部、上記緩衝液９０質量部を混合することによって、本発明の水性液を得た。この水性液における緩衝作用物質（クエン酸及びクエン酸三ナトリウム）の総和濃度は、２２．５ｍｍｏｌ／Ｌであり、層状ケイ酸塩粉体（モンモリロナイト含有率：５０質量％以上）の含有率は０．２１質量％であり、この水性液のｐＨは６．０であった。
【００５７】
＜実施例４＞
クエン酸（無水物）およびクエン酸三ナトリウム（二水和物）を水に混合することによって、クエン酸濃度が１８．４ｍｍｏｌ／Ｌ、クエン酸三ナトリウム濃度（水和物は含まない）が２１．６ｍｍｏｌ／Ｌの緩衝液を得た。
【００５８】
次に、実施例１で使用した水系分散液（層状ケイ酸塩粉体の懸濁液）１０質量部、上記緩衝液９０質量部を混合することによって、本発明の水性液を得た。この水性液における緩衝作用物質（クエン酸及びクエン酸三ナトリウム）の総和濃度は、３６．０ｍｍｏｌ／Ｌであり、層状ケイ酸塩粉体（モンモリロナイト含有率：５０質量％以上）の含有率は０．２１質量％であり、この水性液のｐＨは５．０であった。
【００５９】
＜実施例５＞
リン酸（無水物）およびクエン酸三ナトリウム（二水和物）を水に混合することによって、リン酸濃度が１０．０ｍｍｏｌ／Ｌ、クエン酸三ナトリウム濃度（水和物は含まない）が１５．０ｍｍｏｌ／Ｌの緩衝液を得た。
【００６０】
次に、実施例１で使用した水系分散液（層状ケイ酸塩粉体の懸濁液）１０質量部、上記緩衝液９０質量部を混合することによって、本発明の水性液を得た。この水性液における緩衝作用物質（リン酸及びクエン酸三ナトリウム）の総和濃度は、２２．５ｍｍｏｌ／Ｌであり、層状ケイ酸塩粉体（モンモリロナイト含有率：５０質量％以上）の含有率は０．２１質量％であり、この水性液のｐＨは６．０であった。
【００６１】
＜比較例１＞
実施例１で使用した水系分散液（層状ケイ酸塩粉体の懸濁液）１０質量部、水９０質量部を混合することによって、ｐＨ９．１の水性液を得た。この水性液における層状ケイ酸塩粉体（モンモリロナイト含有率：５０質量％以上）の含有率は０．２１質量％であった。
【００６２】
＜比較例２＞
クエン酸（無水物）およびクエン酸三ナトリウム（二水和物）を水に混合することによって、クエン酸濃度が１０．３ｍｍｏｌ／Ｌ、クエン酸三ナトリウム濃度（水和物は含まない）が１２．２ｍｍｏｌ／Ｌの緩衝液からなるｐＨ５．０の水性液を得た。この水性液における緩衝作用物質（クエン酸及びクエン酸三ナトリウム）の総和濃度は、２２．５ｍｍｏｌ／Ｌであった。
【００６３】
【表１】
2015171419.tif 000002
【００６４】
上記のようにして得られた水性液の消臭性能およびアレルゲン低減性能（アレルゲン不活化性能）を下記評価法に基づいて評価した。これらの評価結果を表１に示す。
【００６５】
＜消臭性能評価法＞
（アンモニアガス消臭率）
中に水性液を１ｍＬ入れたスプレーバイアル（上端部を押すことによって内容液を噴霧できる内容量１０ｍＬの容器）を準備した。内容量５Ｌの樹脂製バッグにおけるカットにより開放端となっている１つの隅部（コーナー部）を介して前記スプレーバイアルをバッグ内に入れた後、前記開放端を気密状態に閉塞した。次に、バッグ内に３Ｌの空気を流量計を通して注入した。次いで、アンモニアガスをバッグ内における濃度が約２００ｐｐｍとなるようにバッグ内にシリンジを用いて注入した後、バッグ内のアンモニアガスの濃度（初期濃度）をガス検知管を用いて測定した。次に、バッグの外側からスプレーバイアルの上端部を押すことによって、バッグ内に１ｍＬの水性液を噴霧した。噴霧してから１０分経過後と６０分経過後にバッグ内のアンモニアガス濃度（残存濃度）をガス検知管を用いて測定した。前記初期濃度と前記残存濃度から、除去された（消臭された）アンモニアガスの総量（除去濃度）を算出し、これらより、１０分経過後のアンモニアガス消臭率（％）、６０分経過後のアンモニアガス消臭率（％）を求めた。
（酢酸ガス消臭率）
アンモニアガスに代えて、酢酸ガスをバッグ内における濃度が約４２ｐｐｍとなるようにバッグ内にシリンジを用いて注入した以外は、上記と同様に行って、１０分経過後の酢酸ガス消臭率（％）、６０分経過後の酢酸ガス消臭率（％）を求めた。
【００６６】
なお、検知管として、アンモニアガス消臭では、光明理化学工業社製「検知管１０５ＳＣアンモニア（測定範囲５〜２６０ｐｐｍ）」を使用し、酢酸ガス消臭では、光明理化学工業社製「検知管２１６Ｓ酢酸（測定範囲１〜５０ｐｐｍ）」を使用した。
【００６７】
＜アレルゲン低減性能評価法＞
ダニ培地（ダニ虫体死骸、ダニ糞）より抽出したダニアレルゲン懸濁液（アレルゲン抗原液）２．０ｍＬを入れたポリ袋の中に、さらに水性液２．０ｍＬを滴下して、両液を接触させて、このまま５分間静置した後、ダニ検査用試験紙（住化エンビロサイエンス社製「ダニ検査用マイティーチェッカー」）をポリ袋内の液に浸漬し、袋から取り出した試験紙の色を、判定用色見本と比較することによって、アレルゲン低減性能を以下の４段階で評価した。なお、ブランクとして、アレルゲン抗原液（水性液を滴下していないもの）にダニ検査用試験紙を浸漬したところ、判定結果は「×」であった。
（判定結果）
「◎」…判定用色見本の「−」（全く発色していない）と合致。これは、ダニアレルゲンレベルとしては、１０匹未満／ｍ2に相当する。
「○」…判定用色見本の「＋−」（うっすらと発色）と合致。これは、ダニアレルゲンレベルとしては、５０匹／ｍ2に相当する。
「△」…判定用色見本の「＋」（ラインが確認できる）と合致。これは、ダニアレルゲンレベルとしては、１００匹／ｍ2に相当する。
「×」…判定用色見本の「＋＋」（はっきりとしたライン）と合致。これは、ダニアレルゲンレベルとしては、３５０匹以上／ｍ2に相当する。
【００６８】
表１から明らかなように、本発明の実施例１〜５の水性液は、塩基性臭気であるアンモニアガスの消臭性能に優れ、酸性臭気である酢酸ガスの消臭性能に優れていると共に、アレルゲン低減率が大きくてアレルゲン低減性能に優れていた。
【００６９】
これに対し、特定の緩衝作用物質を含有しない比較例１では、塩基性臭気であるアンモニアガスの消臭性能が不十分であった。また、層状ケイ酸塩粉体を含有しない比較例２では、アレルゲン低減性能に劣っていた。
【００７０】
なお、層状ケイ酸塩粉体を含有しない比較例２と、層状ケイ酸塩粉体を含有する実施例１〜５との対比から、ｐＨ７．０以下の条件下で層状ケイ酸塩粉体を含有していることにより、酸性臭気である酢酸ガスの消臭性能が向上していることがわかる。
【００７１】
また、実施例３と実施例５の対比から、酸としてクエン酸を用いた構成（実施例３）の方が、酸としてリン酸を用いた構成（実施例５）よりも、塩基性臭気であるアンモニアガスの消臭性能により優れていることがわかる。
【００７２】
さらに、実施例１〜３の評価結果から、ｐＨ４．０、ｐＨ５．０、ｐＨ６．０とｐＨが中性に近づくにつれて、酢酸ガスの消臭性能が向上していることも認められる。一方、実施例１〜３の評価結果から、ｐＨ６．０、ｐＨ５．０、ｐＨ４．０とｐＨが酸性側に近づくにつれて、アンモニアガスの消臭性能が向上していることがわかる。これらの結果より、塩基性臭気と酸性臭気をバランスよく消臭する観点から、本発明の水性液のｐＨをｐＨ４．０〜ｐＨ６．０に設定するのが好ましく、中でも、ｐＨ４．５〜ｐＨ５．５に設定するのが特に好ましい。
【産業上の利用可能性】
【００７３】
本発明に係る水性液を付与する対象物としては、例えば、布帛（カーペット、カーテン、壁紙等）、木板、フローリング、家具、寝具、天井材、ペット用品、衣類、フィルター等の内装材が挙げられ、その他、花粉等のアレルゲンが飛散してくる可能性のある屋外対象物、或いは、室内空間等の処理対象空間等が挙げられるが、特にこれら例示したものに限定されるものではなく、本発明の水性液は、いかなる物品、材料、対象物にも適用できる。